(57)【要約】  本発明は、皮下層を貫通して施術され得る細く長い一体型の管形状の本体；および、前記本体の周辺組織に位置している細胞が本体内部に移動して線維組織を形成可能に提供されるものであって、前記本体の外周面から、前記本体内部に長さ方向に形成された中空部に連通するよう形成される連孔を含むシワ除去用充填体に関する。本発明に係るシワ除去用充填体は、皮下層への挿入後、皮膚の圧力や外部からの力によって変形が起こったり動いたりせず、太いシワなど多様なシワ部位に施術することができるだけでなく、効果が（半）永久的に持続される。
2015522307.tif 000002
【特許請求の範囲】
【請求項１】
内部に中空部が形成されており、かつ皮下層を貫通して施術され得る細く長い一体型の管形状の本体；および、
前記本体の周辺組織に位置している細胞が本体内部に移動して線維組織を形成可能な細胞の移動通路を形成することができるように、前記本体の長さ方向に沿って貫通して形成された縦裂（ｌｏｎｇｉｔｕｄｉｎａｌ  ｃｌｅｆｔ）を含む ことを特徴とするシワ除去用充填体。
【請求項２】
内部に中空部が形成されており、皮下層を貫通して施術され得る細く長い一体型の管形状の本体；および、
前記本体の周辺組織に位置している細胞が本体内部に移動して線維組織を形成可能な細胞の移動通路を形成する２以上の短い間隙が相互離隔された状態で前記本体の長さ方向に沿って貫通して形成された分離縦裂を含むことを特徴とするシワ除去用充填体。
【請求項３】
２以上の帯形状からなる多数列の分体を相互交差させてらせん形に巻き、細く長い管形状を成す本体；および、
前記本体の長さ方向に沿って貫通して形成された縦裂（ｌｏｎｇｉｔｕｄｉｎａｌ  ｃｌｅｆｔ）を含むことを特徴とするシワ除去用充填体。
【請求項４】
内部に中空部が形成された短く細い管形状の本体；
前記本体の外周面から内周面に達するように長さ方向に沿って貫通して形成された縦裂（ｌｏｎｇｉｔｕｄｉｎａｌ  ｃｌｅｆｔ）；および、
前記中空部相互間が隣接するように一列に配置された多数の短い本体の内部に設置されて、前記中空部を長さ方向に貫通して連結する連結体を含むことを特徴とするシワ除去用充填体。
【請求項５】
内部に中空部が形成された細く長い一体型の管形状の本体；
前記本体の長さ方向に沿って貫通して形成された縦裂（ｌｏｎｇｉｔｕｄｉｎａｌ  ｃｌｅｆｔ）；および、
前記本体の外周面に、その表面の一部を切開加工して形成された弾性突起を含むことを特徴とするシワ除去用充填体。
【請求項６】
細く長い一体型の管形状の本体；
前記本体の長さ方向に沿って貫通して形成された縦裂（ｌｏｎｇｉｔｕｄｉｎａｌ  ｃｌｅｆｔ）；および、
前記本体の外周面に、その表面の一部を切開加工して形成され、前記本体の中間部を中心にデカルコマニー形態を成して相互対称な鋭角を有するように形成された弾性突起を含むことを特徴とするシワ除去用充填体。
【請求項７】
内部に中空部が形成された細く長い一体型の管形状の本体；
前記本体の周辺組織に位置している細胞が本体内部に移動して線維組織を形成可能な細胞の移動通路を形成する２以上の短い間隙が相互離隔された状態で、前記本体の長さ方向に沿って貫通して形成された分離縦裂；および、
前記本体の外周面に、その表面の一部を切開加工して形成された弾性突起を含むことを特徴とするシワ除去用充填体。
【請求項８】
２以上の帯形状からなる多数列の分体を相互交差させてらせん形に巻き、細く長い管形状を成す本体；および、
前記本体の外面と内面を貫通する複数個の通孔を含んで構成され、
前記通孔は、前記分体と分体との間に形成されることを特徴とするシワ除去用充填体。
【請求項９】
前記本体内部の中空部内に形成された多数の隔壁をさらに含むことを特徴とする、請求項１に記載のシワ除去用充填体。
【請求項１０】
前記本体内部の中空部内に形成されたらせん形弾性支持体をさらに含むことを特徴とする、請求項１に記載のシワ除去用充填体。
【請求項１１】
前記本体の外部を覆い囲むらせん弾性支持体をさらに含むことを特徴とする、請求項１に記載のシワ除去用充填体。
【請求項１２】
前記本体には、
相互離隔された凹部が形成されることを特徴とする、請求項８に記載のシワ除去用充填体。
【請求項１３】
前記凹部は、
前記本体を収縮して形成されることを特徴とする、請求項１２に記載のシワ除去用充填体。
【請求項１４】
前記本体は、横断面が円形であり、０．６から３．０ｍｍの直径を有しており、
前記中空部は、０．５〜２．８ｍｍの直径を有するように形成されることを特徴とする、請求項１〜１３のいずれか一項に記載のシワ除去用充填体。
【請求項１５】
前記本体は、横断面が多角形形状に形成されることを特徴とする、請求項１〜１３のいずれか一項に記載のシワ除去用充填体。
【請求項１６】
前記縦裂は、間隙の距離が０．１〜２．０ｍｍに形成されることを特徴とする、請求項１〜７および９〜１１のいずれか一項に記載のシワ除去用充填体。
【請求項１７】
前記縦裂は、間隙間の距離が本体断面の円形換算周長の１／８〜１／４の大きさを有するように形成されることを特徴とする、請求項１〜７および９〜１１のいずれか一項に記載のシワ除去用充填体。
【請求項１８】
前記本体は、弾性素材で形成されることを特徴とする、請求項１〜１３のいずれか一項に記載のシワ除去用充填体。
【請求項１９】
前記本体は、ヒアルロン酸（ｈｙａｌｕｒｏｎｉｃ  ａｃｉｄ：ＨＡ）、ポリ乳酸（ｐｏｌｙｌａｃｔｉｃ  ａｃｉｄ：ＰＬＡ）、乳酸・グリコール酸共重合体（ｐｏｌｙｇｌｙｃｏ‐ｌａｃｔｉｃ  ａｃｉｄ：ＰＧＬＡ）またはポリジオキサノン（ｐｏｌｙｄｉｏｘａｎｏｎｅ：ＰＤＳ）からなる群より選択された生分解性高分子で作られることを特徴とする、請求項１８に記載のシワ除去用充填体。
【請求項２０】
前記本体は、ナイロン、シリコン、ポリプロピレン、ポリプロピルエチレンまたはテフロン（ｔｅｆｌｏｎ）からなる群より選択された非生分解性高分子で作られることを特徴とする、請求項１８に記載のシワ除去用充填体。
【請求項２１】
前記本体は、内皮と外皮が物性の異なる物質で構成された二重層構造で形成されることを特徴とする、請求項１８に記載のシワ除去用充填体。
【請求項２２】
前記内皮は、硬性材質で形成され、前記外皮は、軟性材質で形成されることを特徴とする、請求項２１に記載のシワ除去用充填体。
【請求項２３】
前記内皮は、吸収性材質で形成され、前記外殻は、非吸収性材質で形成されることを特徴とする、請求項２１に記載のシワ除去用充填体。
【請求項２４】
前記内皮と外皮は、互いに異なる吸収速度を有する吸収性材質で形成されることを特徴とする、請求項２１に記載のシワ除去用充填体。
【請求項２５】
前記本体の全面にわたって貫通して形成された少なくとも一つ以上の通孔を含むことを特徴とする、請求項１〜７のいずれか一項に記載のシワ除去用充填体。
【請求項２６】
前記通孔は、その形状が円形の場合は直径または同一断面積の円形換算直径が４０〜５００μｍであることを特徴とする、請求項２５に記載のシワ除去用充填体。
【請求項２７】
前記本体の外部に、部分的または全体的に造影剤を塗布したことを特徴とする、請求項１〜１３のいずれか一項に記載のするシワ除去用充填体。
【請求項２８】
前記本体の外周面または内周面に線維組織の形成を促進するための成長因子がコーティングされ、または内包されることを特徴とする、請求項１〜１３のいずれか一項に記載のシワ除去用充填体。
【請求項２９】
前記本体の外部に、部分的または全体的に造影剤を塗布したことを特徴とする、請求項２５に記載のシワ除去用充填体。
【請求項３０】
前記本体の外周面または内周面に線維組織の形成を促進するための成長因子がコーティングされ、または内包されることを特徴とする、請求項２５に記載のシワ除去用充填体。
【請求項３１】
前記本体には、組織生成物質、炎症反応誘発促進物質、組織生成抑制物質または組織生成阻害剤のうちいずれか一つをコーティング、塗布または吸着させることを特徴とする、請求項２５に記載のシワ除去用充填剤。
【発明の詳細な説明】
【技術分野】
【０００１】
本発明は、シワ除去用充填体に関し、より詳細には、成形施術によりシワ部位の皮下層に挿入されて新たな線維組織の形成を誘導することでシワを除去する充填体を形成するにあたり、弾性が十分に維持される中空の長管（チューブ）の一側面に、長軸方向に長い間隙または通孔が形成されて、線維組織を形成するための線維芽細胞、血小板、巨細胞、白血球、赤血球などが入り込むことのできる通路を充填体全体に形成可能にしたシワ除去用充填体に関する。
【背景技術】
【０００２】
人間は、年を取るにつれ顔や身体の皮膚表面にシワが生じるようになるが、シワが作られる原理は、筋肉が収縮することと、その他に、皮膚と脂肪層が重力によって垂れることが主要原因となる。シワは、筋肉の収縮方向に垂直に作られ、年を取るにつれて深くなる。
【０００３】
シワを除去する方法の一つとして、シワの原因を提供する筋肉をボトックスで麻痺させる方法が多く使用されているが、不自然な表情が作られ、また、目の下や下唇、ほうれい線などに使用することが難しく、太いシワや深いシワに対しては限界があり、効果が３〜６ヶ月しか続かないという問題がある。
【０００４】
他の方法として、シワが刻まれた部位を引き出すフィラーを使用する方法があるが、液体フィラーは、注入するには便利であるものの、皮膚への注入後、筋肉が動くたびに筋肉が収縮する方向への移動が起こり、シワが刻まれた部分が比較的により深く見える現象、すなわち、元来の目的と背馳する現象をもたらすこととなり、また、一定期間（最大１〜２年程度）が経過すると分解吸収されるという問題がある。
【０００５】
また他の方法として、非常に細い金糸を皮下層に挿入する方法がある。しかし、金糸は、異物反応を引き起こして新たな組織が金糸の周囲に作られる効果をもたらすものの、太いシワへの使用に制限的であり、また、挿入された金糸が外部からの力によって曲がったり、皮膚外に突き出したりする危険があり、永続的に残るためＸ線、ＣＴ、ＭＲＩなどの撮影時に干渉現象を起こすこととなって、診断における問題をもたらし得る。
【先行技術文献】
【特許文献】
【０００６】
【特許文献１】米国特許第８１２８６９０号明細書
【特許文献２】韓国特許第１０−０７４５５７１公報
【特許文献３】特開２００７−５０２１６１公報
【特許文献４】韓国特許公開第１０−２００５−０１０８４９４号
【発明の概要】
【発明が解決しようとする課題】
【０００７】
本発明が解決しようとする課題は、皮膚切開施術といった方法によることなく、皮下層に挿入された後にも、筋肉の収縮に関わらず移動しないシワ除去用充填体を提供することにある。
【０００８】
また、本発明は、皮下層に挿入された後、長管形状からなるシワ除去用充填体の長さ方向全体に沿って形成された長い間隙である縦裂または通孔を介して、施術部位である長管の領域全体において新たなコラーゲン線維を含む線維組織が形成されるように誘導することにより、迅速かつ緻密な線維組織の形成を可能にし、時間の経過につれて充填体自体が分解吸収されても新たに形成された線維組織が維持されることにより、施術の効果が（半）永久的に持続され得るようにしたシワ除去用充填体を提供する。
【０００９】
さらに、本発明は、太いシワなど、多様なシワ部位に使用され得、外部からの力に対して反動力（ｒｅｃｏｉｌｉｎｇ  ｆｏｒｃｅ）を有する弾性支持体をさらに具備して、皮下層への挿入後、皮膚に加えられる圧力や外力によって変形が発生することを最小化することを可能にしたシワ除去用充填体を提供する。
【課題を解決するための手段】
【００１０】
前記課題を解決するためのシワ除去用充填体は、内部に中空部が形成されており、かつ皮下層を貫通して施術され得る細く長い一体型の管形状の本体；および、前記本体の周辺組織に位置している細胞が本体内部に移動して線維組織を形成可能な細胞の移動通路を形成することができるように、前記本体の長さ方向に沿って貫通して形成された縦裂（ｌｏｎｇｉｔｕｄｉｎａｌ  ｃｌｅｆｔ）を含んで構成されることを特徴とする。
【００１１】
また、本発明の一実施形態に係るシワ除去用充填体は、中空部が形成されており、かつ皮下層を貫通して施術され得る細く長い一体型の管形状の本体；および、前記本体の周辺組織に位置している細胞が本体内部に移動して線維組織を形成可能な細胞の移動通路を形成する２以上の短い間隙が相互離隔された状態で前記本体の長さ方向に沿って貫通して形成された分離縦裂を含んで構成されることを特徴とする。
【００１２】
また、本発明の一実施形態に係るシワ除去用充填体は、２以上の帯形状からなる多数列の分体を相互交差させてらせん形に巻き、細く長い管形状を成す本体；および、前記本体の長さ方向に沿って貫通して形成された縦裂（ｌｏｎｇｉｔｕｄｉｎａｌ  ｃｌｅｆｔ）を含んで構成されることを特徴とする。
【００１３】
また、本発明の一実施形態に係るシワ除去用充填体は、内部に中空部が形成された短く細い管形状の本体；前記本体の外周面から内周面に達するように長さ方向に沿って貫通して形成された縦裂（ｌｏｎｇｉｔｕｄｉｎａｌ  ｃｌｅｆｔ）；および、前記中空部相互間が隣接するように一列に配置された多数の短い本体の内部に設置されて、前記中空部を長さ方向に貫通して連結する連結体を含んで構成されることを特徴とする。
【００１４】
また、本発明の一実施形態に係るシワ除去用充填体は、内部に中空部が形成された細く長い一体型の管形状の本体；前記本体の長さ方向に沿って貫通して形成された縦裂（ｌｏｎｇｉｔｕｄｉｎａｌ  ｃｌｅｆｔ）；および、前記本体の外周面に、その表面の一部を切開加工して形成された弾性突起を含んで構成されることを特徴とする。
【００１５】
また、本発明の一実施形態に係るシワ除去用充填体は、細く長い一体型の管形状の本体；前記本体の長さ方向に沿って貫通して形成された縦裂（ｌｏｎｇｉｔｕｄｉｎａｌ  ｃｌｅｆｔ）；および、前記本体の外周面に、その表面の一部を切開加工して形成され、前記本体の中間部を中心にデカルコマニー形態を成して相互対称な鋭角を有するように形成された弾性突起を含んで構成されることを特徴とする。
【００１６】
また、本発明の一実施形態に係るシワ除去用充填体は、内部に中空部が形成された細く長い一体型の管形状の本体；前記本体の周辺組織に位置している細胞が本体内部に移動して線維組織を形成可能な細胞の移動通路を形成する２以上の短い間隙が相互離隔された状態で前記本体の長さ方向に沿って貫通して形成された分離縦裂；および、前記本体の外周面に、その表面の一部を切開加工して形成された弾性突起を含んで構成されることを特徴とする。
【００１７】
また、本発明の一実施形態に係るシワ除去用充填体は、２以上の帯形状からなる多数列の分体を相互交差させてらせん形に巻き、細く長い管形状を成す本体；および前記本体の外面と内面を貫通する複数個の通孔を含んで構成され、前記通孔は、前記分体と分体の間に形成されるように構成されることを特徴とする。
【００１８】
また、本発明の一実施形態は、前記本体内部の中空部内に形成された多数の隔壁をさらに含んで構成されることを特徴とする。
【００１９】
また、本発明の一実施形態は、前記本体内部の中空部内に形成されたらせん形弾性支持体をさらに含んで構成されることを特徴とする。
【００２０】
また、本発明の一実施形態の本体には、相互離隔した凹部がさらに形成されることを特徴とする。
【００２１】
また、本発明の一実施形態の凹部は、前記本体を収縮して形成されることを特徴とする。
【００２２】
このとき、前記本発明の一実施形態は、横断面が多角形形状または円形状により形成されてよく、円形に形成される場合、０．６〜３．０ｍｍの直径を有し、かつ前記中空部は０．５〜２．８ｍｍの直径を有するように形成されることが好ましい。
【００２３】
また、前記本発明の一実施形態に係る縦裂は、間隙間の距離が０．１〜２．０ｍｍに形成されるか、または、本体断面の円形換算周長の１／８〜１／４の大きさを有するように形成されることが好ましい。
【００２４】
また、本発明の一実施形態は、前記本体の全面にわたって貫通して形成された少なくとも一つ以上の通孔を含んで構成されることを特徴とする。
【００２５】
このとき、前記本発明の一実施形態に係る通孔は、その形状が円形の場合には直径または同一断面積の円形換算直径が４０〜５００μｍであることが好ましい。
【００２６】
また、本発明の一実施形態は、前記本体の外部に、部分的または全体的に造影剤を塗布し、または含むことが好ましい。
【００２７】
また、本発明の一実施形態は、前記本体の外周面または内周面に、線維組織の形成を促進するための成長因子がコーティングまたは内包されていることを特徴とする。
【発明の効果】
【００２８】
本発明の一実施形態に係るシワ除去用充填体は、反動力（ｒｅｃｏｉｌｉｎｇ  ｆｏｒｃｅ）を有するため、皮下層への挿入後、皮膚の圧力や外部からの力によって変形が起こったり動いたりすることを防止することができ、本体の外周面に提供される縦裂または通孔を介して本体内部の中空部に多量の新たなコラーゲン線維を含む線維組織が形成されるため、シワの大きさおよび種類に応じて、シワ除去用充填体を形成する本体の直径と中空部の直径、通孔の直径などを調節して、太いシワを含む多様なシワ部位に施術することができるだけでなく、新たに形成された線維組織が維持されて、シワ除去の効果が（半）永久的に持続される効果がある。
【図面の簡単な説明】
【００２９】
【図１】本発明の一実施形態に係る、縦裂が形成されたシワ除去用充填体の第１実施例を示す斜視図である。
【図２】本発明の一実施形態に係る、多数の分離縦裂が離隔形成されたシワ除去用充填体の第２実施例を示す斜視図である。
【図３】本発明の一実施形態に係る、中空部内に隔壁が具備されたシワ除去用充填体の第３実施例を示す断面図である。
【図４】本発明の一実施形態に係る、中空部内にらせん形弾性支持体が具備されたシワ除去用充填体の第４実施例を示す断面図である。
【図５】本発明の一実施形態に係る、２以上の帯形状の多数列の分体を相互絡ませて交差形成されたシワ除去用充填体の第５実施例を示す斜視図である。
【図６】皮下層に挿入された、本発明の一実施形態に係るシワ除去用充填体の中空部に線維組織（Ｔ）が形成されたことを示す断面図である。
【図７】本発明の一実施形態に係る、縦裂が形成された多数の短い本体が連結体によって相互連結されたシワ除去用充填体の第６実施例を示す斜視図である。
【図８】本発明の一実施形態に係るシワ除去用充填体の第６実施例を皮下層に挿入して施術した状態を示す断面図である。
【図９】本発明の一実施形態に係る、本体表面に一方向に偏向した弾性突起が形成されたシワ除去用充填体の第７実施例を示す斜視図である。
【図１０】本発明の一実施形態に係るシワ除去用充填体の第７実施例を皮下層に挿入する途中の施術状態を示す断面図である。
【図１１】本発明の一実施形態に係るシワ除去用充填体の第７実施例を皮下層に挿入する施術が完了した後に、弾性突起が線維組織（Ｔ）に引っかかっている状態を示す断面図である。
【図１２】本発明の一実施形態に係る、本体表面に本体の中間部を中心に対称なデカルコマニーの形態の弾性突起が形成されたシワ除去用充填体の第８実施例を示す斜視図である。
【図１３】本発明の一実施形態に係る、分離縦裂と弾性突起がともに形成されたシワ除去用充填体の第９実施例を示す斜視図である。
【図１４】本発明の一実施形態に係るシワ除去用充填体の第９実施例を皮下層に挿入する途中の施術状態を示す断面図である。
【図１５】本発明の一実施形態に係るシワ除去用充填体の第９実施例を皮下層に挿入する施術が完了した後に、弾性突起が線維組織（Ｔ）に引っかかっている状態を示す断面図である。
【図１６】本発明の一実施形態に係る、縦裂と通孔がともに形成されたシワ除去用充填体の第１０実施例を示す斜視図である。
【図１７】本発明の一実施形態に係る、分離縦裂と通孔がともに形成されたシワ除去用充填体の第１１実施例を示す斜視図である。
【図１８】本発明の一実施形態に係る、縦裂と隔壁および通孔がともに形成されたシワ除去用充填体の第１２実施例を示す斜視図である。
【図１９】本発明の一実施形態に係る、縦裂とらせん形弾性支持体および通孔がともに形成されたシワ除去用充填体の第１３実施例を示す斜視図である。
【図２０】本発明の一実施形態に係る、縦裂と通孔がともに形成された多数の短い本体が連結体によって相互連結されたシワ除去用充填体の第１４実施例を示す斜視図である。
【図２１】本発明の一実施形態に係る、縦裂と弾性突起および通孔がともに形成されたシワ除去用充填体の第１５実施例を示す斜視図である。
【図２２】本発明の一実施形態に係る、分離縦裂と弾性突起および通孔がともに形成されたシワ除去用充填体の第１６実施例を示す斜視図である。
【図２３】本発明の一実施形態に係る、２以上の帯形状の多数列の分体を相互絡ませて交差形成されたシワ除去用充填体の第１７実施例を示す斜視図および部分拡大図である。
【図２４】本発明の一実施形態に係るシワ除去用充填体の第１７実施例による強度比較実験のグラフである。
【図２５】本発明の一実施形態に係るシワ除去用充填体が針と結合された状態を図示した概念図である。
【発明を実施するための形態】
【００３０】
本発明の一実施形態に係るシワ除去用充填体は、内部に中空部が形成されており、皮下層を貫通して施術され得る細く長い一体型の管形状の本体；および、前記本体の周辺組織に位置している細胞が本体内部に移動して線維組織を形成可能な細胞の移動通路を形成することができるように、前記本体の長さ方向に沿って貫通して形成された縦裂（ｌｏｎｇｉｔｕｄｉｎａｌ  ｃｌｅｆｔ）を含んで構成されることを特徴とする。
【００３１】
以下、添付された図面を参照しつつ、本発明に係る実施例を詳細に説明する。
【００３２】
図１は、本発明の一実施形態に係る、縦裂が形成されたシワ除去用充填体の第１実施例を示す斜視図である。
【００３３】
本発明の一実施形態に係るシワ除去用充填体１０の第１実施例は、図１に示されたように、皮下層を貫通して施術され得る細く長い一体型の管形状の本体１００と、前記本体の周辺組織に位置している細胞が本体１００内部に移動して線維組織を形成可能な細胞の移動通路を形成することができるように、前記本体１００の長さ方向に沿って貫通して形成された縦裂（ｌｏｎｇｉｔｕｄｉｎａｌ  ｃｌｅｆｔ）２００とを含んで構成される。
【００３４】
このとき、前記本体の内部空間である中空部１１０は、細胞が移動してきて線維組織を形成するようになる空間を成し、前記縦裂２００を介して本体外部の組織と連通するように形成される。また、前記縦裂２００は、本体の長さ方向に沿って形成された長い間隙を指す。このように、前記縦裂２００が本体の長さ方向に沿って形成されることにより、本体全体において均一な速度で線維組織の再生が行われ得るようになる。
【００３５】
図２は、本発明の一実施形態に係る、多数の分離縦裂が離隔形成されたシワ除去用充填体の第２実施例を示す斜視図である。
【００３６】
本発明の一実施形態に係るシワ除去用充填体１０の第２実施例は、図２に示されたように、皮下層を貫通して施術され得る細く長い一体型の管形状の本体１００と、前記本体の周辺組織に位置している細胞が、本体１００内部に移動して線維組織を形成可能な細胞の移動通路を形成する２以上の短い間隙が相互離隔された状態で前記本体の長さ方向に沿って貫通して形成された分離縦裂２１０とを含んで構成される。このとき、前記分離縦裂２１０は、細胞が本体内部に移動可能な短い間隙が一定距離ずつ離隔された状態で分離形成されることを除けば、前記縦裂２００と同一に構成される。
【００３７】
前記第１及び第２実施例を含む本発明の一実施形態に係るシワ除去用充填体の実施例において、前記本体１００の横断面は、円形または多角形（例：四角形、六角形、八角形など）であってよく、針（例：整形施術用針）に通したり、静脈注射用注射針を管内に挿入して皮下層を貫通する針に沿って皮下層に挿入したりすることが容易となるように、円形であることがより好ましい。
【００３８】
また、本発明の一実施形態に係る前記本体１００の直径は、皮下層に挿入施術することが容易であり、かつ挿入施術する際に皮下脂肪層と真皮層の間または脂肪層に位置されるように、０．６〜３．０ｍｍであることが好ましい。一方、前記本体１００の長さは、施術範囲に応じて十分な長さとされれば差し支えない。
【００３９】
そして、本発明の一実施形態に係る前記本体１００内部に長さ方向に形成された空間である中空部１１０は、周辺組織の線維芽細胞などが前記縦裂２００を介して流入されて、弾性線維組織およびコラーゲン組織といった線維組織が新たに形成され得る空間を提供することになる。したがって、前記中空部１１０の直径が大きくなれば新たに形成される線維組織の量が多くなり、前記中空部１１０の直径が小さくなれば新たに形成される線維組織の量が少なくなるので、シワの深さ、位置等に応じて前記中空部１１０の直径を適切に調節することができ、通常、０．５〜２．８ｍｍであることが好ましい。
【００４０】
また、本発明の一実施形態に係る前記縦裂２００は、前記中空部１１０に線維芽細胞などが入り込み得る通路を提供するものであって、その形状は、円形、三角形、四角形、八角形、台形、ひし形等、いかなる形態でも可能である。このとき、前記縦裂２００は、間隙間の距離が０．１〜２．０ｍｍ、または断面の円形換算周長の１／８〜１／４の大きさを有するように形成することが好ましく、また、その直径が大き過ぎる場合、周辺組織に対する支持力を喪失するため好ましくない。
【００４１】
本発明の一実施形態に係る前記本体１００は、弾性素材で作られることが好ましく、ヒアルロン酸（ｈｙａｌｕｒｏｎｉｃ  ａｃｉｄ：ＨＡ）、ポリ乳酸（ｐｏｌｙｌａｃｔｉｃ  ａｃｉｄ：ＰＬＡ）、乳酸・グリコール酸共重合体（ｐｏｌｙｇｌｙｃｏ‐ｌａｃｔｉｃ  ａｃｉｄ：ＰＧＬＡ）およびポリジオキサノン（ｐｏｌｙｄｉｏｘａｎｏｎｅ：ＰＤＳ）といった生分解性ポリマーまたはナイロン、シリコン、ポリプロピレン、ポリプロピルエチレンおよびテフロン（登録商標）（ｔｅｆｌｏｎ）といった非生分解性ポリマーで作られてよい。生分解性高分子を使用する場合には、線維組織の形成後にシワ除去用充填体が徐々に分解吸収され、非生分解性ポリマーを使用する場合には、シワ除去用充填体が皮下層に永久的に残るようになる。
【００４２】
また、本発明の一実施形態に係る前記本体１００は、内皮と外皮が物性の異なる物質で構成された二重層構造で形成されてもよく。たとえば、内皮は硬性材質で、外皮は軟性材質で形成されてよい。その他に、前記内皮は吸収性材質で、前記外皮は非吸収性材質で形成されてもよく、または、内皮と外皮が互いに異なる吸収速度を有する吸収性材質で形成されてもよい。
【００４３】
図３は、本発明の一実施形態に係る、中空部内に隔壁が具備されたシワ除去用充填体の第３実施例を示す断面図である。
【００４４】
本発明の一実施形態に係るシワ除去用充填体１０の第３実施例は、図３に示されたように、細く長い一体型の管形状の本体１００と、前記本体１００の長さ方向に沿って貫通して形成された縦裂（ｌｏｎｇｉｔｕｄｉｎａｌ  ｃｌｅｆｔ）２００と、前記本体内部の中空部１１０内に形成された多数の隔壁１２０とを含んで構成される。
【００４５】
このとき、前記隔壁１２０は、皮下層への挿入後、皮膚の圧力または外部の圧力によって崩壊（ｃｏｌｌａｐｓｅ）されずに維持され得る反動力（ｒｅｃｏｉｌｉｎｇ  ｆｏｒｃｅ）を提供して、前記本体の支持力を補強することになる。
【００４６】
本発明の一実施形態に係る前記隔壁１２０は、前記本体の中空部１１０を完全に分割してもよく、中空部１１０の一部断面のみが埋められるように形成してもよい。また、前記隔壁１２０は、前記本体１００と同一の素材からなってよい。
【００４７】
図４は、本発明の一実施形態に係る、中空部内にらせん形弾性支持体が具備されたシワ除去用充填体の第４実施例を示す断面図である。
【００４８】
本発明の一実施形態に係るシワ除去用充填体１０の第４実施例は、図４に示されたように、細く長い一体型の管形状の本体１００と、前記本体１００の長さ方向に沿って貫通して形成された縦裂（ｌｏｎｇｉｔｕｄｉｎａｌ  ｃｌｅｆｔ）２００と、前記本体内部の中空部１１０内に形成されたらせん形弾性支持体１３０とを含んで構成される。
【００４９】
このとき、本発明の一実施形態に係る前記らせん形弾性支持体１３０は、前記本体の内部空間である中空部１１０から皮下層に挿入した後に受けることになる皮膚や外部の圧力が加えられても、自己復元力によって再び復元されるので、本体の反動力（ｒｅｃｏｉｌｉｎｇ  ｆｏｒｃｅ）を補強することができるようになる。一方、前記らせん形弾性支持体１３０は、前記本体１００の外部に位置して、前記本体１００の外周面を覆い包む形態で形成されてもよい。このように、前記らせん形弾性支持体１３０が本体の外周面を覆い囲む形で形成される場合、本体に加えられる圧力に対する緩衝作用をするようになって、本体を支持することができるようになる。また、前記らせん形弾性支持体１３０は、前記本体１００と同一の素材からなってよい。
【００５０】
そして、このような前記らせん形弾性支持体１３０は、上述したように反動力を補強する役割の他に、本発明に係るシワ除去用充填体が皮下層に曲線形態で挿入されている場合に、らせん形構造が曲率に応じて細分化または増加し得るため、曲線部位への適用を容易にする。
【００５１】
図５は、本発明の一実施形態に係る、２以上の帯形状の多数列の分体を相互絡ませて交差形成されたシワ除去用充填体の第５実施例を示す斜視図である。
【００５２】
本発明の一実施形態に係るシワ除去用充填体１０の第５実施例は、図５に示されたように、２以上の帯形状からなる多数列の分体１０２，１０４を相互交差させてらせん形に巻き、細く長い管形状を成す本体１００と、前記本体１００の長さ方向に沿って貫通して形成された縦裂（ｌｏｎｇｉｔｕｄｉｎａｌ  ｃｌｅｆｔ）２００とを含んで構成される。
【００５３】
前記本発明の一実施形態に係るシワ除去用充填体１０の第５実施例は、たとえば、円形断面（これと異なり、六角形断面を有してもよい）を有し、所望の中空部の直径を有する長さの長い芯材１６０の表面に沿ってシワ除去用充填体１０の本体１００を形成する材料からなる、設定幅を有する２以上の帯形状の多数列の分体１０２，１０４を相互絡ませて交差する方式（竹の幹で抱き枕を成形する方式と類似な方式）でらせん形に巻いて細く長い管形状の本体１００を形成した後、前記芯材１６０を取り除いて、前記分体１０２，１０４の内部に長さ方向に前記中空部が形成さされるように構成されてよい。また、前記多数列の分体１０２，１０４間の間隙（分体の列が交差する位置などに形成される間隙を含む）が通孔３１０を形成するようにしてもよい。
【００５４】
もちろん、上述したところとは異なり、別途芯材を使用せずに多数列の分体１０２，１０４を相互絡ませて交差するようにらせん形に巻き、細く長い管形状の本体１００を形成する多様な方法が使用されてもよい。
【００５５】
また、図５に示されたところによれば、２列の分体１０２，１０４、すなわち、第１分体（１０２）と第２分体（１０４）を使用して、本発明に係るシワ除去用充填体１０が第５実施例を形成する方法が例示されているが、これに限らず、帯形状の多数列の分体を相互絡ませて交差するようにらせん形に巻き、細く長い管形状の本体１００を形成することができることは、当業者にとって当然のことである。
【００５６】
図６は、皮下層に挿入された、本発明の一実施形態に係るシワ除去用充填体の中空部に線維組織（Ｔ）が形成されたことを示す断面図である。
【００５７】
図６を参照しつつ、本発明の一実施形態に係るシワ除去用充填体によりシワを除去することについて説明すると、次のとおりである。本発明に係るシワ除去用充填体の一側末端を整形施術用針に通したり、針先に通常の方法で連結したり、血管注射用注射針を管内部に挿入して簡単に施術することができるようになる。
【００５８】
まず、施術しようとするシワの部位をマークし、麻酔軟膏を塗った後、針をマーキングした部位の一側端から皮下層、特に皮下脂肪層と真皮層の間または脂肪層に挿入し、他端から抜き出してシワ除去用充填体マーキングした部位に亘るようにした後、皮膚（Ｓ）外に出た部分を切る。
【００５９】
そうすると、皮下層に挿入されたシワ除去用充填体１０の中空部１１０に、血液、赤血球、白血球、血小板、線維芽細胞、筋線維芽細胞などが満たされるが、線維芽細胞は施術後３〜５日、筋線維芽細胞は５〜１５日で最大量となる。その後、線維芽細胞でコラーゲンが形成され、線維組織（Ｔ）として残るようになり、このような線維組織（Ｔ）がシワとして彫り込まれた部位や凹んだ部位を引き出すようにする効果を示すことになる。
【００６０】
図７は、本発明の一実施形態に係る、縦裂が形成された多数の短い本体が連結体によって相互連結されたシワ除去用充填体の第６実施例を示す斜視図であり、図８は、本発明に係るシワ除去用充填体の第６実施例を皮下層に挿入して施術した状態を示す断面図である。
【００６１】
本発明の一実施形態に係るシワ除去用充填体１０の第６実施例は、図７に示されたように、内部に中空部が形成された短く細い管形状の本体１００と、前記本体の外周面から内周面に達するように長さ方向に沿って貫通して形成された縦裂（ｌｏｎｇｉｔｕｄｉｎａｌ  ｃｌｅｆｔ）２００と、前記中空部相互間が隣接するように一列に配置された多数の短い本体の内部に設置されて、前記中空部を長さ方向に貫通して連結する連結体１４０とを含んで構成される。
【００６２】
このように多数の短い本体を連結体によって連結して構成する場合にも、各本体に形成されている縦裂を介して、連結されているシワ除去用充填体全体において細胞の円滑な移動が可能になるため、均一かつ迅速に線維組織を形成することができるようになる。
【００６３】
このように、連結体１４０によって多数の短い本体１００が相互連結された本発明の一実施形態に係るシワ除去用充填体１０は、図８に示されたように、皮下層に曲線形態で挿入される場合に、多数の短い本体のそれぞれが曲線を形成する各分節の節を形成するようになるため、より容易に挿入することができ、また、挿入後も、各本体が折れ曲がった状態を自然に維持できるようになるため、皮膚や外部から加えられる外力に対する圧力の影響を減らすことができるようになる。
【００６４】
図９は、本発明の一実施形態に係る、本体表面に一方向に偏向した弾性突起が形成されたシワ除去用充填体の第７実施例を示す斜視図であり、図１０は、本発明に係るシワ除去用充填体の第７実施例を皮下層に挿入する途中の施術状態を示す断面図であり、図１１は、本発明に係るシワ除去用充填体の第７実施例を皮下層に挿入する施術が完了した後に、弾性突起が線維組織（Ｔ）に引っかかっている状態を示す断面図である。
【００６５】
本発明の一実施形態に係るシワ除去用充填体１０の第７実施例は、図９に示されたように、細く長い一体型の管形状の本体１００と、前記本体１００の長さ方向に沿って貫通して形成された縦裂（ｌｏｎｇｉｔｕｄｉｎａｌ  ｃｌｅｆｔ）２００と、前記本体の外周面にその表面の一部を切開加工して形成された弾性突起１５０とを含んで構成される。
【００６６】
本発明の一実施形態に係る前記弾性突起１５０は、前記本体１００の外周面に、本体の長さ方向に沿って一方向に偏向されるとともに、本体の外周面の外部へ突出するように形成されるため、挿入された皮下層の周辺組織に、より安定的に固定され得るようになる。
【００６７】
このように構成された本発明の一実施形態に係るシワ除去用充填体１０の第７実施例は、図１０に示されたように、前記シワ除去用充填体１０を皮下層に挿入する途中には、皮下層内において前記弾性突起１５０が畳まれた状態（弾性突起を加工するように外周部表面の一部が削られて形成される加工溝に弾性突起が収納された状態）を維持するため滑らかな挿入が可能となるが、図１１に示されたように、シワ除去用充填体１０を皮下層に挿入する施術が完了した状態においては、前記弾性突起１５０がその弾性により本体１００から一方向に偏向されて突出した元の状態（図９参照）に復帰するようになる。
【００６８】
このように、元の状態に復帰した弾性突起１５０が周辺の組織（Ｔ）に引っかかり、シワ除去用充填体１０が皮下層内で後退することを防止して皮下層に対する固定力を高め得るようになる。
【００６９】
図１２は、本発明の一実施形態に係る、本体表面に本体の中間部を中心に対称なデカルコマニーの形態の弾性突起が形成されたシワ除去用充填体の第８実施例を示す斜視図である。
【００７０】
本発明の一実施形態に係るシワ除去用充填体１０の第８実施例は、図１２に示されたように、細く長い一体型の管形状の本体１００と、前記本体１００の長さ方向に沿って貫通して形成された縦裂（ｌｏｎｇｉｔｕｄｉｎａｌ  ｃｌｅｆｔ）２００と、前記本体の外周面に、その表面の一部を切開加工して形成され、前記本体の中間部を中心にデカルコマニーの形態を成して相互対称な鋭角を有するように形成された弾性突起１５０とを含んで構成される。
【００７１】
本発明の一実施形態に係る前記弾性突起１５０が、長いチューブである本体の中間部を中心に対称となるようにデカルコマニー形態からなることにより、前記中間部を中心に角度が鋭角で互いに対称となるように構成される。
【００７２】
それにより、進行方向に通過する際には、弾性突起１５０の方向は、前記本体１００が真皮下の皮下脂肪層において進入部の前部分が順方向を有するようになるが、進行後は、本体を逆方向に引っ張って、この順方向の弾性突起が反対方向に転じさせることになる。
【００７３】
これに対し、中間部を中心に反対方向に作られていた弾性突起１５０は、最初は進行方向に逆の方向に作用し、その後に本体を最初と反対の方向に引っ張ったときにはむしろ順方向となるが、前半部の弾性突起は、逆方向に広がって進行を阻止することになる。
【００７４】
したがって、前記本体１００を進入が容易な真皮脂肪層に挿入後、進行方向を中心に前後に１〜２回抜き挿しを繰り返すことにより、本体が固定されるようになる。すなわち、中間部を中心に、互いに異なる方向に形成された弾性突起１５０は、本体１００を固定するのに重要な役割をすることになる。このような形態は、垂れ下がった組織を引き上げて固定（ｌｉｆｔｉｎｇ）する目的と、挿入された本体のより確実な固定を要する部位に使用することができるようになる。特に、中空部に形成された組織と本体外部の組織が一つの連結体として纏められることにより、固定（ｌｉｆｔｉｎｇ）がさらに確実となる効果を得ることができる。
【００７５】
図１３は、本発明の一実施形態に係る、分離縦裂と弾性突起がともに形成されたシワ除去用充填体の第９実施例を示す斜視図であり、図１４は、本発明に係るシワ除去用充填体の第９実施例を皮下層に挿入する途中の施術状態を示す断面図であり、図１５は、本発明に係るシワ除去用充填体の第９実施例を皮下層に挿入する施術が完了した後に、弾性突起が線維組織（Ｔ）に引っかかっている状態を示す断面図である。
【００７６】
本発明の一実施形態に係るシワ除去用充填体１０の第９実施例は、図１３に示されたように、細く長い一体型の管形状の本体１００と、前記本体１００の周辺組織に位置している細胞が本体１００内部に移動して線維組織を形成可能な細胞の移動通路を形成する２以上の短い間隙が相互離隔された状態で前記本体の長さ方向に沿って貫通して形成された分離縦裂２１０と、前記本体の外周面に、その表面の一部を切開加工して形成された弾性突起１５０とを含んで構成される。
【００７７】
前記弾性突起１５０は、前記第７実施例において詳述したように、前記本体１００の外周面に、本体の長さ方向に沿って一方向に偏向されるとともに、本体の外周面の外部に突出するように形成される。
【００７８】
このように構成された本発明に係るシワ除去用充填体１０の第９実施例は、図１４に示されたように、前記シワ除去用充填体１０を皮下層に挿入する途中には、皮下層内において前記弾性突起１５０が畳まれた状態を維持するため滑らかな挿入が可能となり、図１５に示されたように、シワ除去用充填体１０を皮下層に挿入する施術が完了した状態においては、前記弾性突起１５０がその弾性により本体１００から一方向に偏向されて突出した元の状態に復帰するようになる。
【００７９】
このように、元の状態に復帰した弾性突起１５０が周辺の組織（Ｔ）に引っかかり、シワ除去用充填体１０が皮下層内で後退することを防止して皮下層に対する固定力を高め得るようになることは、上述した第７実施例の場合と同様である。
【００８０】
図１６は、本発明の一実施形態に係る、縦裂と通孔がともに形成されたシワ除去用充填体の第１０実施例を示す斜視図である。
【００８１】
本発明の一実施形態に係るシワ除去用充填体１０の第１０実施例は、図１６に示されたように、細く長い一体型の管形状の本体１００と、前記本体の周辺組織に位置している細胞が本体内部に移動して線維組織を形成可能な細胞の移動通路を形成することができるように、前記本体の長さ方向に沿って貫通して形成された縦裂（ｌｏｎｇｉｔｕｄｉｎａｌ  ｃｌｅｆｔ）２００と、前記本体の全面にわたって貫通して形成された少なくとも一つ以上の通孔３００とを含んで構成される。
【００８２】
それにより、前記縦裂２００だけでなく前記通孔３００も、周辺組織の線維芽細胞などが本体内部の空間である中空部１１０に流入され、弾性線維組織およびコラーゲン組織といった線維組織を新たに形成する通路を形成するようになる。
【００８３】
本発明の一実施形態に係るこのような前記通孔３００の形状は、円形、三角形、四角形、八角形、台形、ひし形等、いかなる形態も可能であり、多数の通孔３００が前記本体１００の外周面に規則的または不規則的に配列されてよい。また、通孔３００は、その形状が円形の場合には直径が、他の形状の場合には同一断面積の円形換算直径が４０〜５００μｍの範囲を有するように形成することが好ましく、また、その直径が大き過ぎる場合、周辺組織に対する支持力を喪失するため好ましくない。
【００８４】
このとき、前記本体と縦裂の構成は、前記第１実施例で説明したところと同一であるため、以下その重複した説明は省略する。
【００８５】
図１７は、本発明の一実施形態に係る、分離縦裂と通孔がともに形成されたシワ除去用充填体の第１１実施例を示す斜視図である。
【００８６】
本発明の一実施形態に係るシワ除去用充填体１０の第１１実施例は、図１７に示されたように、皮下層を貫通して施術され得る細く長い一体型の管形状の本体１００と、前記本体の周辺組織に位置している細胞が本体１００内部に移動して線維組織を形成可能な細胞の移動通路を形成する２以上の短い間隙が相互離隔された状態で前記本体の長さ方向に沿って貫通して形成された分離縦裂２１０と、前記本体の全面にわたって貫通して形成された少なくとも一つ以上の通孔３００とを含んで構成される。
【００８７】
このとき、前記分離縦裂２１０は、前記第２実施例で説明した分離縦裂２１０と同一に構成され、前記通孔３００も、前記第１０実施例と同一に構成されるところ、その重複的な説明は省略する。
【００８８】
図１８は、本発明の一実施形態に係る、縦裂と隔壁および通孔がともに形成されたシワ除去用充填体の第１２実施例を示す斜視図である。
【００８９】
本発明の一実施形態に係るシワ除去用充填体１０の第１２実施例は、図１８に示されたように、細く長い一体型の管形状の本体１００と、前記本体１００の長さ方向に沿って貫通して形成された縦裂（ｌｏｎｇｉｔｕｄｉｎａｌ  ｃｌｅｆｔ）２００と、前記本体内部の中空部１１０内に形成された多数の隔壁１２０と、前記本体の全面にわたって貫通して形成された少なくとも一つ以上の通孔３００とを含んで構成される。
【００９０】
このとき、前記隔壁１２０は、皮下層への挿入後、本体を支持して内部の中空部を維持することのできる反動力（ｒｅｃｏｉｌｉｎｇ  ｆｏｒｃｅ）を提供するものであって、前記第３実施例において説明したとおりであり、前記通孔３００が本体の全面にわたって貫通して形成されるため、より均一かつ円滑な線維組織の形成が可能となる。
【００９１】
図１９は、本発明の一実施形態に係る、縦裂とらせん形弾性支持体および通孔がともに形成されたシワ除去用充填体の第１３実施例を示す斜視図である。
【００９２】
本発明の一実施形態に係るシワ除去用充填体１０の第１３実施例は、図１９に示されたように、細く長い一体型の管形状の本体１００と、前記本体１００の長さ方向に沿って貫通して形成された縦裂（ｌｏｎｇｉｔｕｄｉｎａｌ  ｃｌｅｆｔ）２００と、前記本体内部の中空部１１０内に形成されたらせん形弾性支持体１３０と、前記本体の全面にわたって貫通して形成された少なくとも一つ以上の通孔３００を含んで構成される。
【００９３】
このとき、前記らせん形弾性支持体１３０は、前記第４実施例において説明したとおりであり、前記通孔３００が本体の全面にわたって貫通して形成されるため、より均一かつ円滑な線維組織の形成が可能となることはもちろん、前記通孔３００についての説明は、前記第１０実施例において説明したところと同一であるため、以下その詳細な説明は省略する。
【００９４】
図２０は、本発明の一実施形態に係る、縦裂と通孔がともに形成された多数の短い本体が連結体によって相互連結されたシワ除去用充填体の第１４実施例を示す斜視図である。
【００９５】
本発明の一実施形態に係るシワ除去用充填体１０の第１４実施例は、図２０に示されたように、内部に中空部が形成された短く細い管形状の本体１００と、前記本体の外周面から内周面に達するように長さ方向に沿って貫通して形成された縦裂（ｌｏｎｇｉｔｕｄｉｎａｌ  ｃｌｅｆｔ）２００と、前記中空部相互間が隣接するように一列に配置された多数の短い本体の内部に設置されて、前記中空部を長さ方向に貫通して連結する連結体１４０と、前記本体の全面にわたって貫通して形成された少なくとも一つ以上の通孔３００とを含んで構成される。
【００９６】
このとき、多数の短い本体を連結体によって連結することにより、皮下層に曲線形態で挿入される場合に、多数の短い本体のそれぞれが曲線を形成する各分節の節を形成するようになるため、より容易に挿入することができ、また、挿入後も、各本体が折れ曲がった状態を自然に維持できるようになるため、皮膚や外部から加えられる外力に対する圧力の影響を減らすことができなることは、前記第６実施例と同様である。また、前記通孔３００は、前記第１０実施例において説明したところと同一であるため、以下その詳細な説明は省略する。
【００９７】
図２１は、本発明の一実施形態に係る、縦裂と弾性突起および通孔がともに形成されたシワ除去用充填体の第１５実施例を示す斜視図である。
【００９８】
本発明の一実施形態に係るシワ除去用充填体１０の第１５実施例は、図２１に示されたように、細く長い一体型の管形状の本体１００と、前記本体１００の長さ方向に沿って貫通して形成された縦裂（ｌｏｎｇｉｔｕｄｉｎａｌ  ｃｌｅｆｔ）２００と、前記本体の外周面に、その表面の一部を切開加工して形成された弾性突起１５０と、前記本体の全面にわたって貫通して形成された少なくとも一つ以上の通孔３００とを含んで構成される。
【００９９】
前記弾性突起１５０は、挿入された皮下層の周辺組織に、より安定的に固定することができるように、前記本体１００の長さ方向に沿って一方向に偏向されるとともに、本体の外周面の外部から突出するように形成されることは、前記第７実施例と同様である。それにより、前記弾性突起１５０が形成されたシワ除去用充填体を皮下層に挿入する過程もまた、前記第７実施例の場合と同一であるところ、その重複した説明は省略する。また、前記通孔３００は、前記第１０実施例において説明したところと同一であるため、以下その詳細な説明は省略する。
【０１００】
図２２は、本発明の一実施形態に係る、分離縦裂と弾性突起および通孔がともに形成されたシワ除去用充填体の第１６実施例を示す斜視図である。
本発明の一実施形態に係るシワ除去用充填体１０の第１６実施例は、図２２に示されたように、細く長い一体型の管形状の本体１００と、前記本体１００の周辺組織に位置している細胞が本体１００内部に移動して線維組織を形成可能な細胞の移動通路を形成する２以上の短い間隙が相互離隔された状態で前記本体の長さ方向に沿って貫通して形成された分離縦裂２１０と、前記本体の外周面に、その表面の一部を切開加工して形成された弾性突起１５０と、前記本体の全面にわたって貫通して形成された少なくとも一つ以上の通孔３００とを含んで構成される。
【０１０１】
前記弾性突起１５０は、前記第７実施例において詳述したところのように、前記本体１００の外周面に、本体の長さ方向に沿って一方向に偏向されるとともに、本体の外周面から突出するように形成されるため、皮下層への挿入時、周辺組織に引っかかって安定的な結合状態を維持することになる。また、前記通孔３００は、前記第１０実施例において説明したところと同一であるため、以下その詳細な説明は省略する。
【０１０２】
このように構成された本発明の一実施形態に係るシワ除去用充填体の第１〜第１６実施例において、前記本体１００は、その外部に部分的または全体的に造影剤を塗布し、または含まれた形態で構成されて、シワ除去用充填体の位置追跡や分解の程度を確認できるように構成されてもよい。
【０１０３】
また、本発明の一実施形態に係るシワ除去用充填体の第１〜第１６実施例において、線維組織の形成を促進するための成長因子が前記本体１００の外周面または内周面にコーティングされ、または前記本体１００に内包されて構成されてもよい。
【０１０４】
このとき、前記成長因子としては、ＰＤＧＦ（ｐｌａｔｅｌｅｔ−ｄｅｒｉｖｅｄ  ｇｒｏｗｔｈ  ｆａｃｔｏｒ）、ＡＧＦ（ａｎｇｉｏｇｅｎｅｓｉｓ  ｆａｃｔｏｒ）、ＦＧＦ（ｆｉｂｒｏｂｌａｓｔ  ｇｒｏｗｔｈ  ｆａｃｔｏｒ）、ＴＧＦ‐α（ｔｒａｎｓｆｏｒｍｉｎｇ  ｇｒｏｗｔｈ  ｆａｃｔｏｒ‐α）、ＴＧＦ‐β（ｔｒａｎｓｆｏｒｍｉｎｇ  ｇｒｏｗｔｈ  ｆａｃｔｏｒ‐β）、ＥＧＦ（ｅｐｉｄｅｒｍａｌ  ｇｒｏｗｔｈ  ｆａｃｔｏｒ）、ＣＴＧＦ（ｃｏｎｎｅｃｔｉｖｅ  ｔｉｓｓｕｅ  ｇｒｏｗｔｈ  ｆａｃｔｏｒ）、ＶＥＧＦ（ｖａｓｃｕｌａｒ  ｅｎｄｏｔｈｅｌｉａｌ  ｇｒｏｗｔｈ  ｆａｃｔｏｒ）などが使用されてよいが、これらに限定されるものではない。
【０１０５】
本発明の一実施形態に係る、２以上の帯形状の多数列の分体を相互絡ませて交差形成されたシワ除去用充填体の第１７実施例を示す斜視図および部分拡大図である図２３を参照すると、シワ除去用充填体１０は、２以上の帯形状からなる多数列の分体１０２，１０４を相互交差させてらせん形に巻き、細く長い管形状に本体１００を形成するため、本体１００には、分体１０２，１０４の間に分体１０２，１０４を貫通する通孔３００が形成される。したがって、通孔３００は、本体１００の分体１０２，１０４が配置された部分を除いた残りの部分に形成されるので、本体全体においてより均一な速度で線維組織が再生されるようになる。
【０１０６】
このようなシワ除去用充填体１０の本体１００には、図２３のように相互離隔された凹部１７０が形成されてよい。このような凹部１７０は、本体１００の支持力を補強するものであって、強度比較実験のグラフである図２４を参照すると、直径１．０ｍｍと直径０．６ｍｍの本体の外部から圧力を加える場合、凹部１７０が形成されている本体の場合、直径１．０ｍｍのとき、約４０ｇｆ／ｃｍ２の圧力が加えられた場合にもその形状を維持するか、凹部１７０が形成されていない本体の場合、約１０ｇｆ／ｃｍ２の圧力よりも大きな圧力が加えられたときには、その形状を維持できないという欠点がある。また、直径０．６ｍｍの場合、凹部１７０が形成されているときには約２５ｇｆ／ｃｍ２の圧力で形状を維持するが、凹部１７０が形成されていないときには、約１５ｇｆ／ｃｍ２までのみその形状を維持することが分かる。したがって、本体１００には、凹部１７０が形成されることがより好ましい。
【０１０７】
このような凹部１７０は、多様な方法で形成されてよいが、本体１００が高分子からなる場合、熱処理を通じて収縮させて形成することが工程上より容易であり、先に説明した分体１０２，１０４は、図２３のように縫合糸を使用してもよく、別途の部材を利用してもよいが、縫合糸を使用する場合、生分解性高分子からなる縫合糸と、非生分解性高分子からなる縫合糸を混合して使用してもよい。
【０１０８】
第１７実施例に係るシワ除去用充填体１０は、シワ除去用充填体と針とを結合された状態の概念図である図２５の（ａ）、（ｂ）および（ｃ）のように、多様な形態の針１の一側と他側に形成された貫通孔を介してシワ除去用充填体１０の一端を貫通させた後、スポンジのような別途の固定具３を利用して針１を貫通したシワ除去用充填体１０の一端を曲げて針１に結合させ、固定して使用する。
【０１０９】
さらに、前記実施例において説明した本体１００、または本体１００を構成する分体１０２，１０４には、レチノール（ｒｅｔｉｎｏｉｃ  ａｃｉｄ）、レチノール誘導体、ビタミンＡなどといった組織生成物質を塗布、コーティングまたは吸着させてよく、実施例に応じて、ｃａｔｇｕｔシール材料などといった炎症反応誘発を促進する物質、ＰＲＰ（ｐｌａｔｅｌｅｔ  ｒｉｃｈ  ｐｌａｓｍａ）などといった組織生成促進薬剤や物質、過度な組織生成を減らすための組織生成抑制薬剤や物質、または消炎剤（ａｎｔｉ‐ｉｎｆｌａｍｍａｔｏｒｙ  ａｇｅｎｔ）といった組織生成阻害剤を塗布、コーティングまたは吸着させてよい。
【０１１０】
前述した実施例は、単に本発明の理解を助けるための例示目的で提示されたものであって、本発明は、これらに極限されず、また、本発明が属する技術分野における通常の知識を有する者であれば、添付された特許請求の範囲に記載された技術思想の範疇内で、多様な変更および実施が可能であろう。
【図１】
2015522307.tif 000003
【図２】
2015522307.tif 000004
【図３】
2015522307.tif 000005
【図４】
2015522307.tif 000006
【図５】
2015522307.tif 000007
【図６】
2015522307.tif 000008
【図７】
2015522307.tif 000009
【図８】
2015522307.tif 000010
【図９】
2015522307.tif 000011
【図１０】
2015522307.tif 000012
【図１１】
2015522307.tif 000013
【図１２】
2015522307.tif 000014
【図１３】
2015522307.tif 000015
【図１４】
2015522307.tif 000016
【図１５】
2015522307.tif 000017
【図１６】
2015522307.tif 000018
【図１７】
2015522307.tif 000019
【図１８】
2015522307.tif 000020
【図１９】
2015522307.tif 000021
【図２０】
2015522307.tif 000022
【図２１】
2015522307.tif 000023
【図２２】
2015522307.tif 000024
【図２３】
2015522307.tif 000025
【図２４】
2015522307.tif 000026
【図２５（ａ）】
2015522307.tif 000027
【図２５（ｂ）】
2015522307.tif 000028
【図２５（ｃ）】
2015522307.tif 000029
【国際調査報告】
2015522307.tif 000030
2015522307.tif 000031
2015522307.tif 000032
2015522307.tif 000033
2015522307.tif 000034
2015522307.tif 000035